(57)【要約】【課題】障子が開口開放位置又はその近傍に位置する場合に気流に基づく小さな力によって障子に開口開閉移動させると共に、障子が開口閉鎖位置の近傍にある場合には気流に基づく力によっては障子に開口閉鎖移動を生じさせないようにすることができ、而して、開口開放位置又はその近傍にある障子の気流に基づく開閉移動によって好適に換気することができる自然換気装置を提供すること。【解決手段】自然換気装置１は、建物に装着される窓枠２と、窓枠２で画成された開口３に配される障子４と、気流に基づいて開口３を開閉させる開閉手段５とを具備しており、建物外７側に向かう障子４の開口開放移動により開口３を開き、建物内８側に向かう障子４の開口閉鎖移動により開口３を閉じるようになっている。【選択図】図１
2008285930.tif 000002
【特許請求の範囲】
【請求項１】
建物に装着される窓枠と、窓枠に画成された開口に配される障子と、気流に基づいて開口を開閉させる開閉手段とを具備しており、開閉手段は、障子の一の部位を昇降自在に支持する第一の支持機構と、障子の一の部位に対して下方に位置する障子の他の部位を建物内外方向に移動自在に支持する第二の支持機構とを具備しており、第二の支持機構は、障子の他の部位を建物内外方向に移動自在に支持面で支持する支持部材を具備しており、支持面は、水平線に対して建物外側から建物内側に向かって上方に傾斜しており、支持面の水平線に対する傾斜角は、建物外側から建物内側に向かって漸増している自然換気装置。
【請求項２】
支持部材は、支持面の建物外側の端部に連接していると共に障子の他の部位に当接して当該他の部位を建物内外方向に移動自在に支持する端側支持面を有しており、端側支持面は、建物外側から建物内側に向かって下方に傾斜している請求項１に記載の自然換気装置。
【請求項３】
建物内外方向に移動自在に支持部材に支持された状態の障子の他の部位に対して下方に且つ建物内側に位置するように、支持部材を窓枠に水平軸の回りで回動自在に連結している回動軸と、支持部材が障子の他の部位を建物内外方向に移動自在に支持した状態において当該支持部材を保持する保持機構とを具備している請求項１又は２に記載の自然換気装置。
【請求項４】
窓枠に装着されていると共に、障子の他の部位を建物内外方向に移動自在に他の支持面で支持する他の支持部材を具備しており、他の支持面は、障子の他の部位の支持が支持面から当該他の支持面に移行されるように、水平線に対して建物外側から建物内側に向かって上方に傾斜しており、他の支持面の水平線に対する傾斜角は、建物外側から建物内側に向かって漸増している請求項３に記載の自然換気装置。
【請求項５】
他の支持面の水平線に対する傾斜角は、支持面の水平線に対する最大傾斜角に対して大きい請求項４に記載の自然換気装置。
【請求項６】
開口開放位置にある障子の他の部位及び当該障子の重心は、鉛直方向に伸びる同一直線上に夫々位置する請求項１から５のいずれか一項に記載の自然換気装置。
【請求項７】
開閉手段は、開口閉鎖位置にある障子を窓枠に係合させる係合手段を具備している請求項１から６のいずれか一項に記載の自然換気装置。
【発明の詳細な説明】
【技術分野】
【０００１】
本発明は、建物内外間の空気流量を調節すべく、気流に基く障子の開閉移動により建物の開口を自然に開閉させる自然換気装置に関する。
【背景技術】
【０００２】
【特許文献１】特開２００３−２４７３７１号公報
【０００３】
例えば特許文献１においては、障子の竪框上部に一端が枢着され他端が前記一端よりも低い位置において窓枠の竪枠（縦枠）に枢着されたメインアームと、竪框（縦框）中間部に一端が枢着され他端が竪枠下部に枢着されており、メインアームよりも長いサブアームとを有しており、サブアームの一端及び窓を閉じた状態にある障子の重心が、鉛直方向に伸びる同一線上に位置するように夫々配されている自然換気装置が提案されている。
【発明の開示】
【発明が解決しようとする課題】
【０００４】
ところで、斯かる自然換気装置では、メインアーム及びサブアームの回転やサブアームの一端及び障子の重心の夫々の位置などの関係上、窓を開くと障子に付与される建物の開口開放位置に向かう回動モーメントも増すために、障子が開口開放位置又はその近傍に位置する場合に気流に基づく小さな力によって障子に開口開閉移動させると共に、障子が開口閉鎖位置の近傍にある場合には気流に基づく力によっては障子に開口閉鎖移動を生じさせないようにすることが困難である。
【０００５】
本発明は、前記諸点に鑑みてなされたものであり、その目的とするところは、障子が開口開放位置又はその近傍に位置する場合に気流に基づく小さな力によって障子に開口開閉移動させると共に、障子が開口閉鎖位置の近傍にある場合には気流に基づく力によっては障子に開口閉鎖移動を生じさせないようにすることができ、而して、開口開放位置又はその近傍にある障子の気流に基づく開閉移動によって好適に換気することができる自然換気装置を提供することにある。
【課題を解決するための手段】
【０００６】
本発明の自然換気装置は、建物に装着される窓枠と、窓枠に画成された開口に配される障子と、気流に基づいて開口を開閉させる開閉手段とを具備しており、開閉手段は、障子の一の部位を昇降自在に支持する第一の支持機構と、障子の一の部位に対して下方に位置する障子の他の部位を建物内外方向に移動自在に支持する第二の支持機構とを具備しており、第二の支持機構は、障子の他の部位を建物内外方向に移動自在に支持面で支持する支持部材を具備しており、支持面は、水平線に対して建物外側から建物内側に向かって上方に傾斜しており、支持面の水平線に対する傾斜角は、建物外側から建物内側に向かって漸増している。
【０００７】
本発明の自然換気装置によれば、特に、開閉手段が第一の支持機構と第二の支持機構とを具備しており、第二の支持機構が、障子の他の部位を建物内外方向に移動自在に支持面で支持する支持部材を具備しており、支持面は、水平線に対して建物外側から建物内側に向かって上方に傾斜しており、支持面の水平線に対する傾斜角は、建物外側から建物内側に向かって漸増しているために、障子が開口開放位置又はその近傍に位置する場合に気流に基づく小さな力によって障子に開口開閉移動させると共に、障子が開口閉鎖位置の近傍にある場合には気流に基づく力によっては障子に開口閉鎖移動を生じさせないようにすることができ、而して、開口開放位置又はその近傍にある障子の気流に基づく開閉移動によって好適に換気することができる。
【０００８】
本発明の自然換気装置の好ましい例では、支持部材は、支持面の建物外側の端部に連接していると共に障子の他の部位に当接して当該他の部位を建物内外方向に移動自在に支持する端側支持面を有しており、端側支持面は、建物外側から建物内側に向かって下方に傾斜している。このような好ましい例によれば、端側支持面に当接する障子の他の部位に対して、開口開放移動力に抗する抗移動力を障子に与えることができ、而して、開口開放位置又はその近傍にある障子の急速な開口開放移動を防止することができる。
【０００９】
本発明の自然換気装置の好ましい例では、建物内外方向に移動自在に支持部材に支持された状態の障子の他の部位に対して下方に且つ建物内側に位置するように、支持部材を窓枠に水平軸の回りで回動自在に連結している回動軸と、支持部材が障子の他の部位を建物内外方向に移動自在に支持した状態において当該支持部材を保持する保持機構とを具備している。このような好ましい例によれば、支持部材が建物内側に向かう回動を生じることにより、障子が開口閉鎖位置にある場合において建物内側及び建物外側のいずれにも支持部材を突出させることがなくなる。
【００１０】
本発明の自然換気装置の好ましい例では、窓枠に装着されていると共に、障子の他の部位を建物内外方向に移動自在に他の支持面で支持する他の支持部材を具備しており、他の支持面は、障子の他の部位の支持が支持面から当該他の支持面に移行されるように、水平線に対して建物外側から建物内側に向かって上方に傾斜しており、他の支持面の水平線に対する傾斜角は、建物外側から建物内側に向かって漸増している。このような好ましい例によれば、障子が開口閉鎖位置又はその近傍にある場合においても、気流に基づく開口閉鎖移動力に抗する抗移動力として開口開放移動力を障子に与えることができ、また、開口閉鎖位置又はその近傍における障子の開口開放移動を円滑にし得る。
【００１１】
本発明の自然換気装置の好ましい例では、他の支持面の水平線に対する傾斜角は、支持面の水平線に対する最大傾斜角に対して大きい。このような好ましい例によれば、開口閉鎖を急速に行わせることなく、障子が窓枠に叩きつけられる等の事態の発生を防ぐことができ、開口閉鎖位置又はその近傍における障子の開口開放移動をより円滑にし得る。
【００１２】
本発明の自然換気装置の好ましい例では、開口開放位置にある障子の他の部位及び当該障子の重心は、鉛直方向に伸びる同一直線上に夫々位置する。このような好ましい例によれば、障子に重錘等を装着することなく、開口開放位置において障子を釣り合わせることができて、ストッパ等を用いずとも障子の開口開放移動を停止させることができ、しかも、障子が気流に基づく小さな力で開口開閉移動を生じ得るように当該障子を開口開放位置に静止させることができる。
【００１３】
本発明の自然換気装置の好ましい例では、開閉手段は、開口閉鎖位置にある障子を窓枠に係合させる係合手段を具備している。
【発明の効果】
【００１４】
本発明によれば、障子が開口開放位置又はその近傍に位置する場合に気流に基づく小さな力によって障子に開口開閉移動させると共に、障子が開口閉鎖位置の近傍にある場合には気流に基づく力によっては障子に開口閉鎖移動を生じさせないようにすることができ、而して、開口開放位置又はその近傍にある障子の気流に基づく開閉移動によって好適に換気することができる自然換気装置を提供し得る。
【発明を実施するための最良の形態】
【００１５】
次に、本発明の実施の形態の例を、図に示す例に基づいて更に詳細に説明する。尚、本発明は、これら例に何等限定されないのである。
【００１６】
図１から図８において、本例の自然換気装置１は、建物（図示せず）に装着される窓枠２と、窓枠２により画成された開口３に配されると共に開口３を開閉する障子４と、気流に基づいて開口３を障子４により開閉させる開閉手段５とを具備している。自然換気装置１は、建物外７側に向かう障子４の開口開放移動により図１に示すように開口３を開き、建物内８側に向かう障子４の開口閉鎖移動により図２に示すように開口３を閉じるようになっている。図１は障子４が開口閉鎖位置にある状態を、図２及び図３は障子４が開口閉鎖位置にある状態を夫々示している。
【００１７】
窓枠２は、上枠１２、下枠１３並びに一対の縦枠１４及び１５を有している。上枠１２、下枠１３並びに縦枠１４及び１５が障子４に当接する部位には、図１に示す開口開放位置にある障子４に当接するシール部材が装着されている。
【００１８】
障子４は、開口３を開閉自在となるように開閉手段５を介して窓枠２に装着される。障子４は、ガラス板等からなる矩形状の障子本体２１、上框２２、下框２３並びに一対の縦框２４及び２５を有している。障子本体２１の周囲は、上框２２、下框２３並びに一対の縦框２４及び２５に覆われている。障子４は、開口開放位置において静止した状態となり、気流に基づく開口閉鎖移動により開口３を狭めたり、気流に基づく開口開放移動により開口３を拡げたりするようになっている。
【００１９】
開閉手段５は、障子４の上框２２側の一の部位３１を昇降自在に支持する支持機構３２と、部位３１に対して下方に位置する障子４の他の部位３３を、建物内外方向Ｘに移動自在に支持する支持機構３４と、開口閉鎖位置にある障子４を窓枠２に係合させる係合手段３５とを具備している。支持機構３２及び３４は、部位３１及び３３を夫々横方向Ｙに伸びた水平軸の回りで回動自在に支持している。部位３１及び３３は縦框２４及び２５に夫々設けられている。横方向Ｙは鉛直方向Ｖ及び建物内外方向Ｘに対して直交している。建物内外方向Ｘは、水平方向に対して平行であって横方向Ｙに対して直交する方向である。
【００２０】
支持機構３２は、縦框２４の部位３１及び縦框２５の部位３１の夫々に装着されていると共に縦枠１４及び１５に対して昇降する軸体４１と、縦枠１４及び１５の夫々に装着されていると共に軸体４１の昇降に関する移動方向に案内する案内部材４２とを具備している。軸体４１には転動ローラが装着されていてもよい。軸体４１は、斯かる転動ローラの装着によって案内部材４２に円滑に案内される。尚、支持機構３２は、障子４の開口開放移動若しくは開口閉鎖移動を調整すべく、部位３１を窓枠２に対して上方若しくは下方に向かって弾性的に付勢する付勢部材としてのばね（図示せず）を具備していてもよい。
【００２１】
図３に示すように断面コ字状の案内部材４２は、本例では、軸体４１を鉛直方向Ｖに案内する案内部４３と、案内部４３の上端に連接していると共に軸体４１を鉛直方向Ｖに対して建物外７側から建物内８側に向かって上方に傾斜する方向に案内する他の案内部４４とを具備している。
【００２２】
案内部４３は、鉛直方向Ｖに伸びた条溝４５を形成するように断面コ字状となっている。軸体４１は、条溝４５において鉛直方向Ｖに直動自在に配置される。案内部４３は軸体４１を案内することによって部位３１を鉛直方向Ｖに案内するようになっている。
【００２３】
案内部４４は、前記傾斜する方向に伸びた条溝４６を形成するように断面コ字状となっている。軸体４１は、条溝４６において前記傾斜する方向に移動自在に配置される。案内部４４は軸体４１を案内することによって部位３１を前記傾斜する方向に案内するようになっている。
【００２４】
支持機構３４は、縦框２４の部位３３及び縦框２５の部位３３の夫々に装着されている軸体５１と、軸体５１を建物内外方向Ｘに移動自在に支持面５３で支持する支持部材５２と、窓枠２に装着されていると共に、部位３３を建物内外方向Ｘに移動自在に他の支持面６３で支持する他の支持部材６２と、建物内外方向Ｘに移動自在に支持部材５２に支持された状態の軸体５１に対して下方に且つ建物内８側に位置するように、支持部材５２を窓枠２にＲ１及びＲ２方向に回動自在に連結している回動軸５４と、図６に示すように支持部材５２が軸体５１を建物内外方向Ｘに移動自在に支持した状態において当該支持部材５２を保持する保持機構５５とを具備している。軸体５１には転動ローラが装着されていてもよい。軸体５１は、斯かる転動ローラの装着によって支持面５３に円滑に案内支持される。
【００２５】
軸体５１は、障子４が図１に示す開口開放位置にある場合に障子４の重心Ｇと鉛直方向Ｖに伸びる同一直線上に夫々位置する。軸体５１は、図２に示すように障子４が開口閉鎖位置にある場合に障子４の重心Ｇに対して上方に位置すると共に当該重心Ｇに対して建物外７側に位置するように、障子４に配設されていてもよい。
【００２６】
例えば図４に示すように、支持面５３は、水平線Ｈに対して建物外７側から建物内８側に向かって上方に傾斜しており、支持面５３の水平線Ｈに対する傾斜角は、建物外７側から建物内８側に向かって漸増している。支持面５３は、支持部材５２に建物内外方向Ｘに伸びて形成された長孔５６の下側の面からなる。障子４が開口開放位置にある場合の支持面５３の軸体５１に対する当接点Ｐ１における接線の水平線Ｈに対する傾斜角は０度である。支持部材５２が建物外７側に突出している状態であって当該支持部材５２が保持機構５５に保持されている状態において、支持面５３の最も建物内８側に位置した軸体５１に対する当接点Ｐ２における接線５８の水平線Ｈに対する傾斜角は１２度であり、斯かる角度が支持面５３の水平線Ｈに対する最大傾斜角となる。支持面５３の水平線Ｈに対する傾斜角は、建物外７側から建物内８側に向かって０度から１２度まで漸増している。支持面５３の前記傾斜角は当接点Ｐ１から当接点Ｐ２まで漸増している。支持面５３に当接する軸体５１は、建物外７側から建物内８側への移動により上方に変位する一方、建物内８側から建物外７側への移動により下方に変位する。斯かる支持面５３は、主に支持部材５２が建物外７側に突出した状態において軸体５１を支持するようになっている。
【００２７】
例えば図５に示すように、支持面６３は、部位３３の支持が支持面５３から当該支持面６３に移行されるように、水平線Ｈに対して建物外７側から建物内８側に向かって上方に傾斜しており、支持面６３の水平線Ｈに対する傾斜角は、建物外７側から建物内８側に向かって漸増している。支持面６３の水平線Ｈに対する傾斜角は、支持面５３の水平線Ｈに対する最大傾斜角に対して大きい。支持面６３の最も建物外７側に位置する軸体５１に対する当接点Ｐ３における接線の水平線Ｈに対する傾斜角は１２度であり、斯かる角度が支持面６３の水平線Ｈに対する最小傾斜角となる。支持面６３の水平線Ｈに対する傾斜角は、支持面６３の最も建物内８側に位置する軸体５１に対する当接点Ｐ４における接線の水平線Ｈに対する傾斜角は１５度であり、斯かる角度が支持面６３の水平線Ｈに対する最大傾斜角となる。支持面６３の水平線Ｈに対する傾斜角は、建物外７側から建物内８側に向かって１２度から１５まで漸増している。支持面６３の前記傾斜角は、当接点Ｐ３から当接点Ｐ４まで漸増している。支持面６３に当接する軸体５１は、建物外７側から建物内８側への移動により上方に変位する一方、建物内８側から建物外７側への移動により下方に変位する。斯かる支持面６３は、主に支持部材５２が建物内８側に向かって又は建物外７側に向かって回動される際に軸体５１を支持するようになっている。支持面５３及び６３は互いに協働して、軸体５１を支持する折り畳み自在な一つの支持面を形成している。
【００２８】
支持面５３に対する水平線Ｈの傾斜に基づいて、部位３３が支持面５３又は支持面６３に支持される障子４に与えられる開口開放移動力をＦとし、障子４の自重に基づいて生じる鉛直方向Ｖへの力をｍｇとすると、Ｆは以下の数式によって求められる。この数式を用いて、支持面５３及び６３の夫々の水平線Ｈに対する傾斜角はＦとの関係において好適に設定される。
【００２９】
【数１】
2008285930.tif 000003
【００３０】
支持部材５２は、例えば図９に示すように、支持面５３に加えて、支持面５３の建物外７側の端部に連接していると共に軸体５１に当接して当該軸体５１を建物内外方向Ｘに移動自在に支持する端側支持面６０を有していてもよい。斯かる端側支持面６０は、建物外７側から建物内８側に向かって下方に傾斜している。端側支持面６０は、支持部材５２に形成された長孔５６の建物外７側の部位の面からなる。端側支持面６０に当接する軸体５１は、建物外７側から建物内８側への移動により下方に変位する一方、建物内８側から建物外７側への移動により上方に変位する。端側支持面６０の水平線Ｈに対する傾斜角は、建物内８側から建物外７側に向かって漸増していてもよい。
【００３１】
支持部材５２は、障子４の開口開放移動及び開口閉鎖移動に伴って回動軸５４の回りでＲ１及びＲ２方向に回動され、開口開放時には、図１及び図６に示すように、回動軸５４から建物外７側に向かって突出するように配置される一方、開口閉鎖時には、図２及び図８に示すように、回動軸５４から上方に向かって突出するように配置される。支持部材５２は、開口閉鎖時には、回動軸５４から上方に向かって突出するように配置されるために、支持部材５２自体を建物外７側及び建物内８側のいずれにも突出させることがない。
【００３２】
保持機構５５は、支持部材５２の建物内８側の端部に一体的に形成された被係止突部９１と、縦框２４及び２５の夫々に形成されていると共に被係止突部９１を係止する係止突部９２とを具備している。被係止突部９１は、回動軸５４を中心とする支持部材５２のＲ１方向の回動によって回動され、支持部材５２が図１及び図６に示す位置に配された際に係止突部９２に当接し、この当接により支持部材５２の建物外７側に向かう所定量以上のＲ１方向の回動を禁止するように当該被係止突部９１を係止するようになっており、斯かる係止により支持部材５２の回動が禁止されると、支持部材５２は、建物内外方向Ｘにおいて建物外７側に突出した状態となる。
【００３３】
障子４が開口開放位置にある場合には、障子４の重心Ｇと部位３３とが鉛直方向Ｖに伸びる同一直線上に夫々位置するために、障子４はその自重によりバランスを保って静止する。斯かる静止状態にある障子４は、気流に基づく小さな力によって開口閉鎖移動が自在な状態にある。ここで、障子４が開口開放位置から開口閉鎖移動をすると、支持面５３が上述の通りに傾斜しているために、障子４には開口閉鎖移動力に抗する抗移動力としての開口開放移動力が与えられる。開口閉鎖移動力が抗移動力としての開口開放移動力よりも上回っている場合には、障子４は開口閉鎖移動をし、また、開口閉鎖移動力が抗移動力としての開口開放移動力よりも下回っている場合には、障子４は開口開放移動をして開口開放位置に復帰する。前記抗移動力としての開口開放移動力は、支持面５３及び６３の傾斜角が上述の通りに漸増しているために、障子４が開口開放位置から建物内８側に向かって離れるに連れて漸増する。
【００３４】
障子４が開口閉鎖位置にある場合には、部位３３と重心Ｇとを結ぶ線は、鉛直線（鉛直方向Ｖに伸びる線）に対して、下方に向かって建物内８側向きに傾斜しており、この傾斜角は、障子４が開口開放移動によって開口開放位置に近づくに連れて漸減し、障子４が開口開放位置に配された際に０度となる。障子４の部位３３と開口開放位置にある障子４の重心Ｇとを結ぶ線は、鉛直線に対して平行となる。部位３３と重心Ｇとを結ぶ線が鉛直線に対して建物内８側に向かって下方に傾斜している場合には、障子４にはその自重に基づく開口開放移動力が付与され、部位３３と重心Ｇとを結ぶ線の鉛直線に対する傾斜角が０度となった場合には、部位３３の位置と重心Ｇの位置との関係における開口開放移動力は生じない。
【００３５】
係合手段３５は、下框２３に回転自在に装着されたＬ字状のレバーからなる係合部材６５を具備している。斯かる係合部材６５は、開口閉鎖状態において回転操作されることにより建物内８側において下枠１３に当接し、これにより障子４を窓枠２に係合させるようになっている。また、係合部材６５は、前記回転操作とは逆方向に回転操作されることにより下枠１３から離反されて、障子４の窓枠２に対する係合を解除させるようになっている。
【００３６】
以上の自然換気装置１による窓開閉動作について以下説明する。まず、図２に示す開口閉鎖位置にある障子４の開口開放移動を、係合手段３５による障子４と窓枠２との係合を解除することにより許容する。係合手段３５による係合の解除によって障子４の開口開放移動が許容されると、部位３３が建物内外方向Ｘにおいて重心Ｇに対して建物外７側に位置し、しかも、軸体５１が水平線Ｈに対して傾斜した支持面６３に支持されるために、障子４には開口開放位置に向かう回動モーメントが付与され、障子４は開口開放移動を開始する。図８に示す状態にある支持部材５２は、斯かる開口開放移動に伴って建物外７側に向かってＲ１方向に回動され、図７に示す状態を経て、図６に示すように建物外７側に突出して保持機構５５に保持される。支持部材５２が保持機構５５に保持される際に、支持面６３による軸体５１の支持は、支持面５３による軸体５１の支持へと移行する。軸体４１は部位３３の建物外７側への移動に伴い、条溝４５及び４６に沿って下降する。障子４に付与される開口開放位置に向かう回動モーメントは、障子４が開口開放位置に近づくに連れて、支持面５３の傾斜角及び部位３３と重心Ｇとを結ぶ線の鉛直線に対する傾斜角が漸減するために、次第に小さくなる。障子４が開口開放移動により開口開放位置に到達すると、図１に示すように部位３３と重心Ｇとが鉛直方向Ｖに伸びる同一直線上に位置し、これにより障子４の自重に基づく開口開放移動力が生じなくなり、而して、障子４は開口開放位置で静止する。このように障子４に付与される開口開放位置に向かう回動モーメントが次第に小さくなるために障子４による急速な開口開放を防止することができ、また逆に、障子４が開口開放位置から開口閉鎖位置に向かって開口閉鎖移動する場合には、障子４に付与される開口開放位置に向かう回動モーメントは次第に大きくなるために、前記開口閉鎖移動に抗する抗移動力としての開口開放移動力が漸増する結果、急速な開口閉鎖を防止することができる。
【００３７】
障子４が開口開放位置に配された場合に、気流により障子４に対して建物外７側が正圧に且つ建物内８側が負圧になると、障子４には気流に基づく開口閉鎖移動力が付与され、この気流に基づく開口閉鎖移動力によって障子４が開口閉鎖移動すると、建物外７及び建物内８間を流れる気体流量は減少する。逆に、気流により障子４に対して建物外７側が負圧に且つ建物内８側が正圧になると、障子４には気流に基づく開口開放移動力が付与され、この気流に基づく開口開放移動力によって障子４が開口開放移動すると、建物外７及び建物内８間を流れる気体流量は増大する。気流に基づく開口開放移動力及び開口閉鎖移動力が生じなくなると、障子４は、上述のように開口開放位置に復帰し、静止する。
【００３８】
自然換気装置１では、障子４に装着された係合部材６５を手動操作により建物内８側から引っ張って障子４を開口閉鎖位置に配し、当該係合部材６５を下枠１３に係合させることにより開口３を閉鎖した状態を維持する。
【００３９】
本例の自然換気装置１によれば、建物に装着される窓枠２と、窓枠２に画成された開口３に配される障子４と、気流に基づいて開口３を開閉させる開閉手段５とを具備しており、開閉手段５は、障子４の一の部位３１を昇降自在に支持する支持機構３２と、部位３１に対して下方に位置する障子４の他の部位３３を建物内外方向Ｘに移動自在に支持する支持機構３４とを具備しており、支持機構３４は、部位３３を建物内外方向Ｘに移動自在に支持面５３で支持する支持部材５２とを具備しており、支持面５３は、水平線Ｈに対して建物外７側から建物内８側に向かって上方に傾斜しており、支持面５３の水平線Ｈに対する傾斜角は、建物外７側から建物内８側に向かって漸増しているために、障子４が開口開放位置又はその近傍に位置する場合に気流に基づく小さな力によって障子４に開口開閉移動させると共に、障子４が開口閉鎖位置の近傍にある場合には気流に基づく力によっては障子４に開口閉鎖移動を生じさせないようにすることができ、而して、開口開放位置又はその近傍にある障子４の気流に基づく開閉移動によって好適に換気することができる。
【００４０】
自然換気装置１は、支持部材５２は、支持面５３の建物外７側の端部に連接していると共に部位３３に当接して当該部位３３を建物内外方向Ｘに移動自在に支持する端側支持面６０を有しており、端側支持面６０は、建物外７側から建物内８側に向かって下方に傾斜していてもよく、斯かる場合には、端側支持面６０に当接する部位３３に対して、開口開放移動力に抗する抗移動力を障子４に与えることができ、而して、開口開放位置又はその近傍にある障子の急速な開口開放移動を防止することができる。
【００４１】
自然換気装置１によれば、建物内外方向Ｘに移動自在に支持部材５２に支持された状態の部位３３に対して下方に且つ建物内８側に位置するように、支持部材５２を窓枠２に水平軸の回りで回動自在に連結している回動軸５４と、支持部材５２が部位３３を建物内外方向Ｘに移動自在に支持した状態において当該支持部材５２を保持する保持機構５５とを具備しているために、支持部材５２が建物内８側に向かう回動を生じることにより、障子４が開口閉鎖位置にある場合において建物内８側及び建物外７側のいずれにも支持部材５２を突出させることがなくなる。
【００４２】
自然換気装置１によれば、窓枠２に装着されていると共に、部位３３を建物内外方向Ｘに移動自在に他の支持面６３で支持する他の支持部材６２を具備しており、他の支持面６３は、部位３３のる支持が支持面５３から当該支持面６３に移行されるように、水平線Ｈに対して建物外７側から建物内８側に向かって上方に傾斜しており、支持面６３の水平線Ｈに対する傾斜角は、建物外７側から建物内８側に向かって漸増しているために、障子４が開口閉鎖位置又はその近傍にある場合においても、気流に基づく開口閉鎖移動力に抗する抗移動力として開口開放移動力を障子に与えることができ、また、開口閉鎖位置又はその近傍における障子４の開口開放移動を円滑にし得る。
【００４３】
自然換気装置１によれば、支持面６３の水平線Ｈに対する傾斜角は、支持面５３の水平線Ｈに対する最大傾斜角に対して大きいために、開口閉鎖を急速に行わせることなく、障子４が窓枠２に叩きつけられる等の事態の発生を防ぐことができ、開口閉鎖位置又はその近傍における障子４の開口開放移動をより円滑にし得る。
【００４４】
自然換気装置１によれば、開口開放位置にある障子４の部位３３及び当該障子４の重心Ｇは、鉛直方向Ｖに伸びる同一直線上に夫々位置するために、障子４に重錘等を装着することなく、開口開放位置において障子４を釣り合わせることができて、ストッパ等を用いずとも障子４の開口開放移動を停止させることができ、しかも、障子４が気流に基づく小さな力で開口開閉移動を生じ得るように当該障子４を開口開放位置に静止させることができる。
【図面の簡単な説明】
【００４５】
【図１】本発明の実施の形態の例の障子が開口開放位置にある場合における側面説明図である。
【図２】図１に示す例の障子が開口閉鎖位置にある場合における側面説明図である。
【図３】図１に示す例の障子が開口閉鎖位置にある場合における平面説明図である。
【図４】図１に示す例の主に支持部材の説明図である。
【図５】図１に示す例の主に他の支持部材の説明図である。
【図６】図１に示す例の主に第二の支持機構の説明図である。
【図７】図１に示す例の主に第二の支持機構の説明図である。
【図８】図１に示す例の主に第二の支持機構の説明図である。
【図９】図１に示す例の主に他の第二の支持機構の説明図である。
【符号の説明】
【００４６】
１  自然換気装置
２  窓枠
３  開口
４  障子
５  開閉手段
３１、３３  部位
３２、３４  支持機構
４１、５１  軸体
５２、６２  支持部材
５３、６３  支持面
５４  回動軸
５５  保持機構
【図１】
2008285930.tif 000004
【図２】
2008285930.tif 000005
【図３】
2008285930.tif 000006
【図４】
2008285930.tif 000007
【図５】
2008285930.tif 000008
【図６】
2008285930.tif 000009
【図７】
2008285930.tif 000010
【図８】
2008285930.tif 000011
【図９】
2008285930.tif 000012